(57)【要約】【課題】傘を固定できる傘穴を設けた遊技機を提供する。【解決手段】操作パネル１８の左端に傘穴２２及び、傘穴２２の内壁面から傘穴２２の内部に突出する位置と退避する位置との間で変位可能な固定具３１と固定具３１をスライド可動させるノブ３２と、固定具３１の位置を固定する停止具（３１ｂ、３３ｂ）とを備えた固定装置３０を設ける。固定具３１はケース３３の底面３３ｃに設けられた板バネ３３ｄで上方へ付勢されていて、ケース３３の上蓋３３ａの裏面の鋸歯状の波板３３ｂと固定具３１の後端の突起３１ｂとが係合される。ノブ３２を押下してスライド可動させ、傘２の柄２ａの太さに応じた位置で手を離すと、固定具３１が板バネ３３ｄで押し上げられて突起３１ｂが波板３３ｂと係合され、傘２の柄２ａが傘穴２２に固定される。【選択図】図３
2007209614.tif 000002
【特許請求の範囲】
【請求項１】
筐体に設けられ、傘の柄が挿入できる傘穴と、前記傘穴に挿入された傘の柄を固定する固定装置とを備えた遊技機であって、
前記固定装置は、前記傘穴の内周面から前記傘穴内に突出する位置と退避する位置との間で移動自在な固定具と、前記固定具を前記突出する位置と前記退避する位置との間で変位させる操作部と、前記固定具を前記突出する位置と前記退避する位置との間で位置を固定する停止具とを備え、
前記固定具を前記傘穴に挿入された前記傘の柄を挟持可能な前記突出する位置まで変位させ、前記停止具によって前記固定具の位置を固定させることによって前記傘の柄が前記傘穴内に挟持されることを特徴とする遊技機。
【請求項２】
前記固定具は弾性部材からなることを特徴とする請求項１記載の遊技機。
【請求項３】
前記遊技機は、当りに当選すると遊技者にとって有利な当りモードに移行する権利が与えられる当選役抽選手段を備えていて、
前記当選役抽選手段によって前記当りに当選すると前記操作部による前記固定具の可動を不能とし、前記当りが入賞すると前記操作部による前記固定具の可動を可能とする操作部制御手段を備えることを特徴とする請求項1記載の遊技機。
【発明の詳細な説明】
【技術分野】
【０００１】
本発明は、遊技場に持ち込んだ傘を保持する傘掛け用の傘穴と傘を固定する固定装置を備えた遊技機に関するものである。
【背景技術】
【０００２】
遊技者が遊技場に傘を持ち込んだ場合、遊技者は、遊技場に設けられた傘立てに傘を立ててから遊技機の前に移動して遊技を行う、もしくは遊技機のところまで傘を持ち込んで遊技機に立てかけておく、あるいは、床に寝かせて置いておくなどして遊技を行う。
【０００３】
遊技場の傘立てに傘を立てておく場合は、遊技者が遊技を終了して遊技場を出るときに傘を持ち出すが、他人の傘と間違えたり、あるいは傘を取り忘れてしまうということが散見される。そして、そもそも遊技場が傘立てを設置しておかなければならず、そのために遊技場のスペースを狭くしてしまって遊技のための有効活用ができないなど遊技場の負担増となる。また、遊技機の近くまで傘を持ちこんだ場合は、傘が邪魔になって遊技の興趣を損なったり、傘が床に転がって通路を塞ぎ、他の遊技者の通行の邪魔になるなどして迷惑をかけるということが見受けられる。
【０００４】
このような問題を解決する方法として、遊技機にテーブルを設けてそのテーブルに傘などを掛けておく係止部を設ける（特許文献１）、遊技機の筐体の下部に傘の先端を差し込んで保持する傘係止部を設ける（特許文献２）、遊技機の筐体の一部に小物を引っ掛けておくフックによる小物保持具を設けておく（特許文献３）などの提案がなされている。
【特許文献１】特開平０９−９８８６２号公報
【特許文献２】特開平０９−２５３３２０号公報
【特許文献３】特開平１０−２２９９３５号公報
【発明の開示】
【発明が解決しようとする課題】
【０００５】
しかしながら、傘を保持する場所によっては、遊技機の側であっても遊技の邪魔になったり、見えにくい場所であると取り忘れるということが散見され、上記の特許文献ではいずれもその解決策については提案されていない。
【０００６】
本発明は、上記課題を解決するためになされたものであり、遊技者が容易に傘の位置を視認でき、傘の取り忘れを防ぐとともに傘が邪魔になって遊技の興趣を損なうことがない傘掛け用の傘穴及び傘を固定する固定装置を備えた遊技機を提供することを目的とする。
【課題を解決するための手段】
【０００７】
上記目的を達成するために、本発明の遊技機は、筐体に設けられ、傘の柄が挿入できる傘穴と、前記傘穴に挿入された傘の柄を固定する固定装置とを備えた遊技機であって、前記固定装置は、前記傘穴の内周面から前記傘穴内に突出する位置と退避する位置との間で移動自在な固定具と、前記固定具を前記突出する位置と前記退避する位置との間で変位させる操作部と、前記固定具を前記突出する位置と前記退避する位置との間で位置を固定する停止具とを備え、前記固定具を前記傘穴に挿入された前記傘の柄を挟持可能な前記突出する位置まで変位させ、前記停止具によって前記固定具の位置を固定させることによって前記傘の柄が前記傘穴内に挟持されることを特徴とする。
【０００８】
また、前記固定具は弾性部材からなることを特徴とする。
【０００９】
更に、前記遊技機は、当りに当選すると遊技者にとって有利な当りモードに移行する権利が与えられる当選役抽選手段を備えていて、前記当選役抽選手段によって前記当りに当選すると前記操作部による前記固定具の可動を不能とし、前記当りが入賞すると前記操作部による前記固定具の可動を可能とする操作部制御手段を備えることを特徴とする。
【発明の効果】
【００１０】
本発明の遊技機は、遊技機の筐体に傘の柄を挿入できる傘穴と、傘穴の近傍において、傘穴の内壁面から傘穴内に突出する位置と退避する位置との間で変位可能な固定具と、該固定具を前記突出する位置と退避する位置との間で変位させる操作部と、該固定具の位置を固定させる停止具とを備えた固定装置とを設けて傘の柄を傘穴内に固定できで、遊技者が容易に傘を視認できて取り忘れを防ぐことができるとともに傘を固定することができるので、傘が邪魔になって遊技の興趣をそこなうということを防ぐことができる。
【００１１】
また、固定具を弾性部材で構成するので、傘の柄をしっかり保持することが可能であり、本発明の効果をより高めることができる。
【００１２】
そして、当りモードに移行する権利が与えられる当りに当選している場合は、操作部によって固定具を変位させることが不能となって傘を保持してしまうので、遊技者は当りが持ち越されていることが分かり、遊技を継続して行うことができ、遊技の興趣を高めることができる。
【発明を実施するための最良の形態】
【００１３】
図１に本発明を適応させた遊技機の一例であるスロットマシン３の概観を示す。スロットマシン３の筐体１３は収納箱１４と、この収納箱１４の前面に設けられた前面扉１５とを備える。前面扉１５は上部に設けられた上部扉１６と下部に設けられた下部扉１７とからなる。上部扉１６には表示窓２０が設けられ、表示窓２０の奥には第１リール２１ａ、第２リール２１ｂ、第３リール２１ｃを有するリールユニットが配置されている。第１、第２、第３リール２１ａ，２１ｂ、２１ｃの外周面には、例えば「７」、「ＢＡＲ」、「チェリー」など、複数種類の図柄が配列されており、リールが停止すると表示窓２０を通して１リール当たり３個の図柄が外部に表示される。スロットマシン３には各リールの図柄を１個ずつ組み合わせた直線状の入賞ラインが横に３本、斜めに２本の合計５本設定されており、このライン上に所定の図柄が並べて表示されることにより当選役が告知される。
【００１４】
表示窓２０の横には液晶表示装置２３が設けられ、例えば、興趣を高めるためにアニメーションを利用した演出等を行う。下部扉１７にはゲームの開始時に操作される１枚ベットボタン３５、ＭＡＸベットボタン３６、ペイアウトボタン３７などの各種操作ボタンが設けられた操作パネル１８が設けられている。各種操作ボタンの近くにはメダルベットが行われた後に操作されるスタートレバー３８や、スタートレバー３８の操作により回転を開始するリールをそれぞれ停止させるための第１、第２、第３ストップボタン４０、４１、４２が設けられる。表示窓２０の下には、数字や特定のアルファベットを表示する７セグメント表示装置２５が設けられている。そして、操作パネル１８の１枚ベットボタン３５の左横に、傘２の柄２ａを挿入できるサイズの本発明の傘穴２２が設けられており、その後方に傘穴２２の内壁面から傘穴２２の内部へ突出して変位可能に設けられた固定具３１（図２）を傘穴２２の前後の直径方向に突出する位置と退避する位置との間で可動させるノブ（操作部）３２が設けられている。ノブ３２と固定具３１とはそれぞれ後述の本発明の固定装置３０を構成する部品の一つである。ノブ３２は操作パネル１８に設けられた長方形の開口２４において傘穴２２の前後の直径方向にスライド可動が可能となっていて、ノブ３２を傘穴２２の方向にスライドさせて固定具３１を傘穴２２の内部に突出する位置へスライド可動させることによって固定具３１の先端３１ａで傘２の柄２ａを傘穴２２において挟持することができる。
【００１５】
図２は図１の傘穴２２の近辺を切り取って拡大して示している。傘穴２２の内壁面には開口２２ａが設けてあって、ノブ３２に組みつけられた固定具３１の先端３１ａが開口２２ａから傘穴２２の内部に突出して組み込まれている。ノブ３２を操作パネル１８の開口２４の位置で矢印Ａで示す傘穴２２の前後の直径方向にスライド可動させると、固定具３１が傘穴２２の内部で傘２の柄２ａを固定する位置と開放する位置の間でスライド可動する。傘穴２２の内壁面の固定具３１に対面する位置には第二固定具２２ｂが設けてある。固定具３１及び第二固定具２２ｂは硬度の高いゴムなどの弾性部材で構成されていて、傘穴２２に挿入された傘２の柄２ａを固定具３１の先端３１ａと第二固定具２２ｂとの間で挟持することができる。
【００１６】
図３に、傘穴２２と固定装置３０の構造を断面図で示した。図３（Ａ）は傘穴２２と固定装置３０の関係を側面から見た断面図、図３（Ｂ）は固定装置３０の後方から見た断面図である。但し、図３（Ｂ）では、傘穴２２と固定装置３０の位置関係を判りやすくするため操作パネル１８を省略して示している。図３に示すように、固定装置３０はノブ３２、固定具３１及び箱型のケース３３で構成されていて、ノブ３２は固定具３１にネジなどの締結部材（図示省略）で締結されて、固定具３１とともにケース３３に収納されている。ノブ３２の上部はケース３３の上蓋３３ａに設けられた開口３３ｆから上方の外へ突出していて、操作パネル１８の外から操作ができるようになっている。そして、ケース３３の上蓋３３ａの裏面には鋸歯状の波板３３ｂが取り付けてある。固定具３１は傘穴２２に設けられた開口２２ａとケース３３に設けられた開口３３ｅとを通して支えられているとともにケース３３の底板３３ｃに組みつけられた板バネ３３ｄで上方へ付勢されている。
【００１７】
固定具３１の後端にはケース３３の上蓋３３ａの裏面に設けられた鋸歯状の波板３３ｂにひっかかってスライド可動できないように突起３１ｂが設けられている。波板３３ｂと突起３１ｂとで本発明の停止具を構成している。ノブ３２を上から押し付けると板バネ３３ｄが撓んで固定具３１が下方へ下がり、突起３１ｂが波板３３ｂから外れて図３（Ａ）の左右方向、つまり、傘穴２２の前後の直径方向へスライド可動できるようになっている。固定具３１及び傘穴２２の内壁面の固定具３１に対面する位置に設けられた第二固定具２２ｂは硬度の高いゴムなどの弾性部材でできている。従って、ノブ３２を押下して、傘穴２２に挿入される傘２の柄２ａの太さに応じてスライドさせ、傘２の柄２ａが固定具３１で固定される位置でノブ３２から手を離すと、板バネ３３ｄで固定具３１が押し上げられ、突起３１ｂが波板３３ｂと噛み合って係合されて固定具３１の位置が固定されるとともに傘２の柄２ａは傘穴２２の内部で固定具３１の先端３１ａと第二固定具２２ｂとの間で挟持される。
【００１８】
傘穴２２とケース３３は空隙１８ａを隔てて設けられていて、その空隙１８ａの下部の固定具３１の下方にはソレノイド３４が取り付け板３４ｂによって傘穴２２の壁面に図示しないネジなどで固定されている。ソレノイド３４にはソレノイド３４が励磁されると固定具３１のスライド可動方向に直交する方向に挿入される棒状のストッパー３４ａが組みつけられている。ソレノイド３４が励磁されると、ストッパー３４ａが空隙１８ａの固定具３１の下方に挿入されて、ノブ３２を押下してもストッパー３４ａによって固定具３１が下方への変位不可能となる。図３（Ｂ）ではソレノイド３４が励磁されてストッパー３４ａが挿入された様子を示している。ソレノイド３４が消磁されるとストッパー３４ａは空隙１８ａから引き抜かれ、ノブ３２を押下すると固定具３１が下方に変位して波板３３ｂから突起３１ｂが外れ、ノブ３２がスライド可動可能となる。
【００１９】
図４にスロットマシン３の電気的な構成を示すブロック図を示す。スロットマシン３の動作は基本的に制御部６０によって制御される。制御部６０は、ＣＰＵ６１、ＲＯＭ６２、ＲＡＭ６４、電子抽選部７７及び当選役決定部７８、を有し、メインＲＯＭ６２には図示しない当選テーブルや、設定変更プログラム、図柄テーブル、配当テーブル等が記憶されている。スロットマシン３の内部には制御部６０の他に、ホッパー装置５０、設定変更装置５５、投入メダルセンサ７５、スタートスイッチセンサ７６、表示制御部９０、ソレノイド駆動制御部９１、通信インターフェース（以降、通信Ｉ／Ｆと言う）９２等が設けられている。ソレノイド駆動制御部９１、ソレノイド３４及びストッパー３４ａが本発明の操作部制御手段を構成している。
【００２０】
投入メダルセンサ７５はセレクタの内部に設けられ、メダル投入口４３から投入されたメダルのうち、セレクタによって振り分けられた適正なメダルを検出する。投入メダルセンサ７５から出力される検出信号はメインＣＰＵ６１に入力され、これによってメインＣＰＵ６１は投入されたメダルの枚数を検知する。
【００２１】
スタートスイッチセンサ７６はスタートレバー３８が操作されたときにオンとなり、遊技開始信号をメインＣＰＵ６１に入力する。スタートスイッチセンサ７６から遊技開始信号が発信されると、これを受信したメインＣＰＵ６１は、メインＲＯＭ６２に格納された遊技実行プログラムに基づいて第１、第２、第３リール２１ａ、２１ｂ、２１ｃを回転させ、同時に電子抽選部７７を作動させる。
【００２２】
制御部６０には本発明の当選役抽選手段としての電子抽選部７７及び当選役決定部７８が設けられている。電子抽選部７７は、乱数発生部と乱数抽出部とを含んでおり、遊技が開始されるごとに１つの乱数値を抽出処理する。当選役決定部７８は、電子抽選部７７での乱数の抽出処理に応じて作動し、抽出処理された乱数がハズレあるいは複数種類の当りのいずれかとなるかをメインＲＯＭ６２の当選テーブルを参照して決定する。なお、抽選とは電子抽選部７７における乱数を抽出するステップと、当選役決定部７８におけるハズレあるいは複数種類の当りのいずれかとなるかを決定するステップとからなる。当りが抽選されて当選すると、回転しているリール２１ａ〜２１ｃが停止して入賞ライン上に停止表示される図柄が所定の図柄の場合、遊技者にとって有利な当りモードに移行する。例えば停止表示された図柄が「７−７−７」の場合、大当りとなって所定枚数のメダルが払い出されるとともに、特別遊技を３０回行えるようになる。停止表示された図柄が「ＢＡＲ−ＢＡＲ−ＢＡＲ」の場合、小当りとなって所定枚数のメダルが払い出されるとともに所定回数の特別遊技を行える。第１、第２、第３リール２１ａ，２１ｂ，２１ｃの駆動及び停止制御は図柄駆動制御部８２によって行われる。
【００２３】
スタートレバー３８を操作すると、リール２１ａ〜２１ｃの回転が始動されるとともに電子抽選部７７で乱数が発生され、その乱数に基づいて当選役決定部７８において当りが抽選される。メインＲＯＭ６２には当りを持ち越すソフトウエアがプログラムされていて、当選役決定部７８において当りが抽選され当選している間に、回転しているリール２１ａ〜２１ｃが停止されて入賞ライン上に当選した当りに応じた所定の図柄が表示されて当りモードに移行するまではその当りが持ち越される。つまり、遊技者は当りが持ち越された持越し遊技で遊技を行うが、当選した当りは、入賞ライン上に当りに応じた図柄が停止表示されて入賞し、当りモードに移行するまでその当選権利が持ち越されて、遊技が繰り返し行われるごとに当りに入賞するチャンスが遊技者に与えられる。
【００２４】
図５は、本発明の動作のフローを示している。遊技者は、遊技場に持ち込んだ傘２の柄２ａをスロットマシン３の操作パネル１８に設けられた傘穴２２へ挿入し、ノブ３２を押下したまま傘穴２２の方へスライドさせて固定具３１で傘２の柄２ａを挟持する位置で手をノブ３２から離す。固定具３１が固定されて傘２の柄２ａが傘穴２２で挟持される。そして、遊技者はメダル投入口４３から１回の遊技に必要な最少枚数以上のメダルを投入し、１枚ベットボタン３５もしくはＭＡＸベットボタン３６を押下した後スタートレバー３８を操作して遊技を開始する。スタートレバー３８が操作されると、リール２１ａ〜２１ｃの回転が始動されるとともに電子抽選部７７で乱数が発生され、その乱数に基づいて当選役決定部７８において当りが抽選される。そして、当選役決定部７８において抽選され当選している当りが例えば大当りの場合、回転しているリール２１ａ〜２１ｃが停止されて入賞ライン上に大当りに対応する図柄「７−７−７」が停止表示されるまで当りの当選権利が持ち越される。
【００２５】
大当りに当選しているか大当りが持ち越されていることがＣＰＵ６１によって認識されると、ＣＰＵ６１はソレノイド駆動制御部９１に指令を送り、ソレノイド３４を励磁する。ソレノイド３４が励磁されるとストッパー３４ａが固定具３１の下方に挿入される。ストッパー３４ａが固定具３１の下方に挿入されると、ノブ３２を下方に押下してもストッパー３４ａによって妨げられて固定具３１が下方へ移動せず、突起３１ｂが波板３３ｂから外れないため、ノブ３２を傘穴２２の前後の直径方向にスライド可動できない。従って、傘２の柄２ａは傘穴２２に挟持されたままとなる。
【００２６】
当りが持ち越された持越し遊技を行って、回転しているリール２１ａ〜２１ｃをストップボタン４０〜４２によって停止させ、入賞ライン上に図柄「７−７−７」が並んで当りに入賞すると、ＣＰＵ６１がソレノイド駆動制御部９１に指令を送り、ソレノイド３４を消磁する。ソレノイド３４が消磁されると、ストッパー３４ａが固定具３１の下方から引き抜かれ、ノブ３２を押下すると突起３１ｂが波板３３ｂから外れて、ノブ３２を傘穴２２の前後の直径方向にスライド可能となる。遊技者が遊技を続ける場合はノブ３２を操作せず、そのまま遊技を続けることができる。遊技者が遊技を終了してスロットマシン３から離席する場合は、ノブ３２を押下して固定具３１を傘２の柄２ａから外す方向へスライドさせて傘穴２２から傘２を取り出す。
【００２７】
上記のように、本発明の傘穴と固定装置を備えた遊技機によれば、傘を遊技者からよく見え、かつ、遊技の邪魔にならない位置に固定できるので、傘によって遊技を妨げられたり通路を防ぐことによって他の遊技者の通行を妨げたりすることがなくなるので、遊技をより一層楽しむことができる。そして、遊技終了時には傘の取り忘れを防止することができる。
【００２８】
また、当りが持ち越されている持越し遊技では、傘を固定する固定装置が可動不可能となるので、そのことによって当りが持ち越されていることが分かるとともに遊技を継続できて、当りに入賞すると固定装置が可動可能となるので、本発明の効果をより高めることとなる。
【００２９】
なお、上記実施例では、傘穴及び固定装置をスロットマシンの操作パネルの左側に設けたが、遊技の邪魔にならない位置で、遊技者からよく見える位置であれば、この限りではない。そして、傘穴を上下に貫通する穴にしておいて、傘の柄が湾曲していない棒状の場合には、傘穴の下方から挿入できるようにしても良い。
【００３０】
また、固定装置の操作部を傘穴の前後の直径方向にスライド可動させて固定具を変位させるようにしたが、操作部を回動させて固定具をスライド可動させる方式でもよく、また停止具を鋸歯状の波板と波板に引っかかる突起とで構成したが、双方を摩擦係数の大きな部材で構成してもよい。そして、例えば、固定具をカメラの絞り羽根装置のような構造にして、操作部を時計回りに回転させると絞り羽根が閉じ、反時計回りに回転させると開いて絞り羽根の中央部の開口の大きさが可変できるようにして、中央部の開口に挿入された傘の柄の太さに応じて傘を固定できるようにしてもよい。
【００３１】
更に、持越し遊技において持ち越されている当りを大当りとしたが、例えば図柄「ＢＡＲ−ＢＡＲ−ＢＡＲ」が停止表示された場合の小当りであってもよい。
【００３２】
また、本実施例を、メダルを用いるスロットマシンに適応したが、パチンコ球を用いるスロットマシンにも適応可能である。そして、スロットマシンに限らず、パチンコ機、スマートボール機などの遊技場に設置される遊技機にも適応可能である。
【図面の簡単な説明】
【００３３】
【図１】本発明に係わるスロットマシンの外観を示す正面図及び側面図である。
【図２】本発明に係わる傘穴の部分を拡大した斜視図である。
【図３】本発明の傘穴及び固定装置の構成を示す断面図である。
【図４】本発明のスロットマシンの電気的ブロック図である。
【図５】本発明の動作フロー図である。
【符号の説明】
【００３４】
２            傘
２ａ          傘の柄
３            スロットマシン
１８            操作パネル
２１ａ〜２１ｃ  回転リール
２２            傘穴
３０            固定装置
３２            ノブ
３１            固定具
３１ｂ          突起
３３ｂ          波板
３４            ソレノイド
３４ａ          ストッパー
３８            スタートレバー
４０〜４２      ストップボタン
４３            メダル投入口
６０            制御部
６１            ＣＰＵ
６２            ＲＯＭ
７７            電子抽選部
７８            当選役決定部
９１            ソレノイド駆動制御部
【図１】
2007209614.tif 000003
【図２】
2007209614.tif 000004
【図３】
2007209614.tif 000005
【図４】
2007209614.tif 000006
【図５】
2007209614.tif 000007